(57)【要約】【課題】ユーザーが、ＯＳＤの構成物を見づらく感じることを防止すること。【解決手段】ＢＤプレーヤー１は、ＣＰＵ２を備える。ＣＰＵ２は、接続されているＴＶの最大水平画像サイズと、最大垂直画像サイズと、表示装置に出力する映像の解像度及びアスペクト比と、に基づいて、出力するＯＳＤの構成物の解像度を決定する。ＣＰＵ２は、接続されているＴＶの最大水平画像サイズと、最大垂直画像サイズとを、接続されているＴＶのＥＤＩＤを読み込んで取得する。【選択図】図１
2020201409.tif 000002
【特許請求の範囲】
【請求項１】
接続されている表示装置の最大水平画像サイズと、最大垂直画像サイズと、表示装置に出力する映像の解像度及びアスペクト比と、に基づいて、出力するＯＳＤの構成物の解像度を決定する制御部を備えることを特徴とする映像出力装置。
【請求項２】
前記制御部は、接続されている表示装置の最大水平画像サイズと、最大垂直画像サイズとを、接続されている表示装置のＥＤＩＤを読み込んで取得することを特徴とする請求項１に記載の映像出力装置。
【請求項３】
前記制御部は、出力するＯＳＤの構成物の解像度を決定するための、リファレンス情報を記憶していることを特徴とする請求項１又は２に記載の映像出力装置。
【請求項４】
リファレンス情報は、表示装置の画面の水平方向サイズ、垂直方向サイズ、及び、ＯＳＤの構成物のサイズから構成されることを特徴とする請求項３に記載の映像出力装置。
【請求項５】
前記制御部は、表示装置のサイズごとに、リファレンス情報を記憶していることを特徴とする請求項３又は４に記載の映像出力装置。
【請求項６】
前記制御部は、出力するＯＳＤの構成物の解像度を決定するときに、接続されている表示装置の最大水平画像サイズと、最大垂直画像サイズと、に最も近いリファレンス情報を選択することを特徴とする請求項３〜５のいずれかに記載の映像出力装置。
【請求項７】
前記制御部は、
接続されている表示装置の画面の水平方向サイズと、リファレンス情報を構成する表示装置の画面の水平方向サイズと、の差の絶対値と、
接続されている表示装置の画面の垂直方向サイズと、リファレンス情報を構成する表示装置の画面の垂直方向サイズと、の差の絶対値と、の和が最も小さくなる、リファレンス情報を選択することを特徴とする請求項６に記載の映像出力装置。
【請求項８】
前記制御部は、２つのリファレンス情報において、絶対値の和が等しい場合、サイズの小さい画面に対応するリファレンス情報を選択することを特徴とする請求項７に記載の映像出力装置。
【請求項９】
前記制御部は、選択したリファレンス情報を構成する、ＯＳＤの構成物のサイズと、表示装置の画面の垂直方向サイズと、表示装置に出力する映像の垂直方向の解像度と、に基づいて、基準となるＯＳＤの構成物の解像度を決定することを特徴とする請求項６〜８のいずれか１項に記載の映像出力装置。
【請求項１０】
前記制御部は、選択したリファレンス情報を構成する、ＯＳＤの構成物のサイズに、表示装置に出力する映像の垂直方向の解像度を乗じた値を、選択したリファレンス情報を構成する、表示装置の画面の垂直方向サイズで除することで、基準となるＯＳＤの構成物の解像度を決定することを特徴とする請求項９に記載の映像出力装置。
【請求項１１】
前記制御部は、
基準となるＯＳＤの構成物の解像度に、
選択したリファレンス情報を構成する、表示装置の画面の水平方向サイズを、接続されている表示装置の画面の水平方向のサイズで除した値を乗じることで、
出力するＯＳＤの構成物の、水平方向の解像度を決定することを特徴とする請求項９又は１０に記載の映像出力装置。
【請求項１２】
前記制御部は、
基準となるＯＳＤの構成物の解像度に、
選択したリファレンス情報を構成する、表示装置の画面の垂直方向サイズを、接続されている表示装置の画面の垂直方向のサイズで除した値を乗じることで、
出力するＯＳＤの構成物の、垂直方向の解像度を決定することを特徴とする請求項９又は１０に記載の映像出力装置。
【請求項１３】
前記制御部は、決定したＯＳＤの構成物の垂直方向の解像度が、記憶している垂直方向の解像度よりも小さい場合、記憶している垂直方向の解像度を、出力するＯＳＤの構成物の垂直方向の解像度に決定することを特徴とする請求項１１に記載の映像出力装置。
【請求項１４】
前記制御部は、決定したＯＳＤの構成物の垂直方向の解像度に、出力する映像のアスペクト比を、接続されている表示装置の画面のアスペクト比で除した値を乗じることを特徴とする請求項１３に記載の映像出力装置。
【請求項１５】
前記制御部は、決定したＯＳＤの構成物の水平方向の解像度が、記憶している水平方向の解像度よりも小さい場合、記憶している水平方向の解像度を、出力するＯＳＤの構成物の水平方向の解像度に決定することを特徴とする請求項１２に記載の映像出力装置。
【請求項１６】
前記制御部は、表示装置に出力する映像のアスペクト比と、接続されている表示装置の画面のアスペクト比と、が異なる場合、出力するＯＳＤの構成物の、水平方向の解像度を補正することを特徴とする請求項１１又は１２に記載の映像出力装置。
【請求項１７】
前記制御部は、接続されている表示装置の最大水平画像サイズ、最大垂直画像サイズのいずれかを取得できなかった場合、又は、比較対象のリファレンス情報が存在しなかった場合、
記憶している垂直方向の解像度を、出力するＯＳＤの構成物の垂直方向の解像度に決定し、
記憶している水平方向の解像度を、出力するＯＳＤの構成物の水平方向の解像度に決定することを特徴とする請求項１〜３のいずれか１項に記載の映像出力装置。
【発明の詳細な説明】
【技術分野】
【０００１】
本発明は、ＯＳＤ（On-screen display：オンスクリーン）を出力する映像出力装置に関する。
【背景技術】
【０００２】
ＤＶＤプレーヤー、Blu-ray（登録商標）（以下、「ＢＤ」という。）プレーヤー、ＳＴＢ（Set Top Box：セットトップボックス）、ネットワークプレーヤー等のソース機器、ＡＶレシーバー等のリピータ機器は、ＴＶ等の表示装置に、ＯＳＤ（On-screen display）を出力する（例えば、特許文献１、２参照。）。これらの機器から出力されるＯＳＤに表示される文字・絵・記号は、出力される映像の解像度によって、表示サイズが異なる。又は、ＯＳＤに表示される文字・絵・記号は、完全に固定のサイズ（ピクセル数）で表示されることが多い。シンク機器として使用されるＴＶの画面サイズが比較的小さい場合、大きな画面サイズのＴＶに比べて、ＯＳＤ上の文字等が小さく表示されるため、ユーザーにとって、文字等が見づらく感じることがある。
【先行技術文献】
【特許文献】
【０００３】
【特許文献１】特開２００２−０４１０２６号公報
【特許文献２】特開２０１５−１７６０２５号公報
【発明の概要】
【発明が解決しようとする課題】
【０００４】
上述したように、ＯＳＤ上の文字等の構成物が小さく表示されるため、ユーザーが、構成物を見づらく感じることがあるという問題がある。
【０００５】
本発明の目的は、ユーザーが、ＯＳＤの構成物を見づらく感じることを防止することである。
【課題を解決するための手段】
【０００６】
第１の発明の映像出力装置は、接続されている表示装置の最大水平画像サイズと、最大垂直画像サイズと、表示装置に出力する映像の解像度及びアスペクト比と、に基づいて、出力するＯＳＤの構成物の解像度を決定する制御部を備えることを特徴とする。
【０００７】
本発明では、制御部は、接続されている表示装置の最大水平画像サイズと、最大垂直画像サイズと、表示装置に出力する映像の解像度及びアスペクト比と、に基づいて、出力するＯＳＤの構成物の解像度を決定する。これにより、ユーザーが、ＯＳＤの構成物を見づらく感じることが防止される。
【０００８】
第２の発明の映像出力装置は、第１の発明の映像出力装置において、前記制御部は、接続されている表示装置の最大水平画像サイズと、最大垂直画像サイズとを、接続されている表示装置のＥＤＩＤを読み込んで取得することを特徴とする。
【０００９】
第３の発明の映像出力装置は、第１又は第２の発明の映像出力装置において、前記制御部は、出力するＯＳＤの構成物の解像度を決定するための、リファレンス情報を記憶していることを特徴とする。
【００１０】
第４の発明の映像出力装置は、第３の発明の映像出力装置において、リファレンス情報は、表示装置の画面の水平方向サイズ、垂直方向サイズ、及び、ＯＳＤの構成物のサイズから構成されることを特徴とする。
【００１１】
第５の発明の映像出力装置は、第３又は第４の発明の映像出力装置において、前記制御部は、表示装置のサイズごとに、リファレンス情報を記憶していることを特徴とする。
【００１２】
第６の発明の映像出力装置は、第３〜第５のいずれかの発明の映像出力装置において、前記制御部は、出力するＯＳＤの構成物の解像度を決定するときに、接続されている表示装置の最大水平画像サイズと、最大垂直画像サイズと、に最も近いリファレンス情報を選択することを特徴とする。
【００１３】
第７の発明の映像出力装置は、第６の発明の映像出力装置において、前記制御部は、接続されている表示装置の画面の水平方向サイズと、リファレンス情報を構成する表示装置の画面の水平方向サイズと、の差の絶対値と、接続されている表示装置の画面の垂直方向サイズと、リファレンス情報を構成する表示装置の画面の垂直方向サイズと、の差の絶対値と、の和が最も小さくなる、リファレンス情報を選択することを特徴とする。
【００１４】
第８の発明の映像出力装置は、第７の発明の映像出力装置において、前記制御部は、２つのリファレンス情報において、絶対値の和が等しい場合、サイズの小さい画面に対応するリファレンス情報を選択することをと特徴とする。
【００１５】
第９の発明の映像出力装置は、第６〜第８のいずれかの発明の映像出力装置において、前記制御部は、選択したリファレンス情報を構成する、ＯＳＤの構成物のサイズと、表示装置の画面の垂直方向サイズと、表示装置に出力する映像の垂直方向の解像度と、に基づいて、基準となるＯＳＤの構成物の解像度を決定することを特徴とする。
【００１６】
第１０の発明の映像出力装置は、第９の発明の映像出力装置において、前記制御部は、選択したリファレンス情報を構成する、ＯＳＤの構成物のサイズに、表示装置に出力する映像の垂直方向の解像度を乗じた値を、選択したリファレンス情報を構成する、表示装置の画面の垂直方向サイズで除することで、基準となるＯＳＤの構成物の解像度を決定することを特徴とする。
【００１７】
第１１の発明の映像出力装置は、第９又は第１０の発明の映像出力装置において、前記制御部は、基準となるＯＳＤの構成物の解像度に、選択したリファレンス情報を構成する、表示装置の画面の水平方向サイズを、接続されている表示装置の画面の水平方向のサイズで除した値を乗じることで、出力するＯＳＤの構成物の、水平方向の解像度を決定することを特徴とする。
【００１８】
第１２の発明の映像出力装置は、第９又は第１０の発明の映像出力装置において、前記制御部は、基準となるＯＳＤの構成物の解像度に、選択したリファレンス情報を構成する、表示装置の画面の垂直方向サイズを、接続されている表示装置の画面の垂直方向のサイズで除した値を乗じることで、出力するＯＳＤの構成物の、垂直方向の解像度を決定することを特徴とする。
【００１９】
第１３の発明の映像出力装置は、第１１の発明の映像出力装置において、前記制御部は、決定したＯＳＤの構成物の垂直方向の解像度が、記憶している垂直方向の解像度よりも小さい場合、記憶している垂直方向の解像度を、出力するＯＳＤの構成物の垂直方向の解像度に決定することを特徴とする。
【００２０】
第１４の発明の映像出力装置は、第１３の発明の映像出力装置において、前記制御部は、決定したＯＳＤの構成物の垂直方向の解像度に、出力する映像のアスペクト比を、接続されている表示装置の画面のアスペクト比で除した値を乗じることを特徴とする。
【００２１】
第１５の発明の映像出力装置は、第１２の発明の映像出力装置において、前記制御部は、決定したＯＳＤの構成物の水平方向の解像度が、記憶している水平方向の解像度よりも小さい場合、記憶している水平方向の解像度を、出力するＯＳＤの構成物の水平方向の解像度に決定することを特徴とする。
【００２２】
第１６の発明の映像出力装置は、第１１又は第１２の発明の映像出力装置において、前記制御部は、表示装置に出力する映像のアスペクト比と、接続されている表示装置の画面のアスペクト比と、が異なる場合、出力するＯＳＤの構成物の、水平方向の解像度を補正することを特徴とする。
【００２３】
第１７の発明の映像出力装置は、第１〜第３のいずれかの発明の映像出力装置において、前記制御部は、接続されている表示装置の最大水平画像サイズ、最大垂直画像サイズのいずれかを取得できなかった場合、又は、比較対象のリファレンス情報が存在しなかった場合、記憶している垂直方向の解像度を、出力するＯＳＤの構成物の垂直方向の解像度に決定し、記憶している水平方向の解像度を、出力するＯＳＤの構成物の水平方向の解像度に決定することを特徴とする。
【発明の効果】
【００２４】
本発明によれば、ユーザーが、ＯＳＤの構成物を見づらく感じることが防止される。
【図面の簡単な説明】
【００２５】
【図１】本発明の第１実施形態に係るＢＤプレーヤーの構成を示すブロック図である。
【図２】ＴＶ画面のサイズに対するリファレンス情報を示す表である。
【図３】（ａ）は、基準となるＴＶ画面を示す図である。（ｂ）は、ＢＤプレーヤーに接続されたＴＶ画面を示す図である。
【図４】ＯＳＤ上の文字等を示す図である。
【図５】ＯＳＤ上の文字等を示す図である。
【図６】本発明の第２実施形態に係るＡＶレシーバーの構成を示すブロック図である。
【図７】（ａ）は、第１実施形態における機器の接続を示す図である。（ｂ）は、第２実施形態における機器の接続を示す図である。
【発明を実施するための形態】
【００２６】
以下、本発明の実施形態について説明する。
【００２７】
（第１実施形態）
図１は、本発明の第１実施形態に係るＢＤ（Blu-ray（登録商標） Disc）プレーヤーの構成を示すブロック図である。ＢＤプレーヤー１（映像出力装置）は、ＣＰＵ２、操作部３、再生部４、映像処理部５、ＯＳＤ処理部６、信号送信部７を備える。ＣＰＵ（Central Processing Unit）２（制御部）は、ＢＤプレーヤー１を構成する各部を制御する。操作部３は、ユーザー操作を受け付けるためのものであり、ＢＤプレーヤー１の筐体に設けられた操作ボタンやリモートコントローラーである。再生部４は、例えば、ＢＤ８からデジタル映像信号を読み取って再生する。ＯＳＤ（On-screen Display）処理部６は、ＯＳＤを生成する。信号送信部７は、デジタル映像信号を、接続されているＴＶ（表示装置）に送信する。
【００２８】
ＣＰＵ２は、ＴＶから読み込むＥＤＩＤ（Extended Display Identification Data）に含まれる以下の情報（１）、（２）を参照し、出力する映像の解像度・アスペクト比の情報とあわせて、出力すべきＯＳＤの文字・絵・記号の解像度（水平方向・垂直方向のピクセル数）を決定する。
（１）最大水平画像サイズ
（The Maximum Horizontal Image Size（センチメートル））
（２）最大垂直画像サイズ
（The Maximum Vertical Image Size（センチメートル））
なお、（１）は、ＥＤＩＤオフセット0x15であり、（２）は、ＥＤＩＤオフセット0x16である。
すなわち、ＣＰＵ２は、ＴＶの最大水平画像サイズと、最大垂直画像サイズと、ＴＶに出力する映像の解像度及びアスペクト比と、に基づいて、出力するＯＳＤの文字・絵・記号の解像度を決定する。なお、本実施形態では、ＯＳＤ上の文字・絵・記号を、「構成物」という場合もある。
【００２９】
最終的に、ＴＶ画面に表示するＯＳＤサイズ（ピクセル数）を求めるためのリファレンスとして、ＣＰＵ２は、ユーザーが快適に文字・絵・記号を視認するための基準となるサイズ（メートル）を予め保持（記憶）している。この情報は、以下の３つの設定値で構成される。
Bh  基準となるＴＶ画面の水平方向サイズ（メートル）
Bv  基準となるＴＶ画面の垂直方向サイズ（メートル）
Bs  映像を一般的な視聴距離（３メートルなど）で視聴する場合の文字サイズ（メートル）
なお、Bsにおいて、縦横の長さは、等しいものと仮定する。
すなわち、ＣＰＵ２は、出力するＯＳＤの構成物の解像度を決定するための、リファレンス情報（Bh、Bv、Bs）を記憶している。
【００３０】
ターゲットとするサイズの計算精度を高めるため、ＣＰＵ２は、基準となる画面サイズ、及び、文字（構成物）サイズを、図２の参照テーブルに示すように、代表的な画面サイズ（インチ）ごとに保持（記憶）している（例えば、４０インチ、５０インチ、６０インチ、６５インチ、７０インチなど）。なお、この基準となる値は、数インチの間隔で保持されるのが好ましい。ユーザーにとって最適な視聴距離は、厳密には、ＴＶによって様々であるが、一般的な視聴距離は、ＴＶの垂直方向のサイズ（高さ）の１．５〜３倍程度である。
【００３１】
Bsは、図２に示す各々のサイズのＴＶを、ユーザーが一般的な視聴距離で見る場合に、概ね見やすいと考えられる文字の大きさを表す。ＣＰＵ２は、Bh、Bv、Bsの値を、画面サイズ（インチ）ごとに、リファレンスとして保持（記憶）する。
【００３２】
ここで、各種変数を以下のとおり、定義する。
Eh  ＥＤＩＤから読み込んだ「最大水平画像サイズ（The Maximum Horizontal Image Size）」の値（センチメートル）
Ev  ＥＤＩＤから読み込んだ「最大垂直画像サイズ（The Maximum Vertical Image Size）」の値（センチメートル）
Mh  接続されたＴＶの画面の水平方向サイズ（メートル）
Mv  接続されたＴＶの画面の垂直方向サイズ（メートル）
Ma  接続されたＴＶの画面のアスペクト比
Rh  ＢＤプレーヤーから出力される映像の水平方向の解像度（ピクセル）
Rv  ＢＤプレーヤーから出力される映像の垂直方向の解像度（ピクセル）
Ra  ＢＤプレーヤーから出力される映像のアスペクト比
Dr  接続されたＴＶの水平・垂直方向サイズと基準データとの差異（メートル）
Ph  接続されたＴＶ画面に表示する文字・絵・記号の水平方向の解像度（ピクセル）
Pv  接続されたＴＶ画面に表示する文字・絵・記号の垂直方向の解像度（ピクセル）
【００３３】
変数の性質上、以下の関係が成立する。
Mh = Eh / 100  長さの単位をセンチメートルからメートルに変換
Mv = Ev / 100  長さの単位をセンチメートルからメートルに変換
Ma = Mh / Mv  接続されたＴＶ画面のアスペクト比を算出
Ra = Rh / Rv  ＢＤプレーヤーから出力される映像のアスペクト比を算出
【００３４】
ユーザーが、一般的な視聴距離をとって、ｘｘインチのＴＶの映像を見る場合、最低でも、ｙｙのサイズでＯＳＤを表示しなければ文字などが見づらい、という考え方に基づき、ＣＰＵ２は、リファレンスの値を、保持（記憶）している。ｘｘ、ｙｙとBh、Bv、Bsの関係は、以下のとおりとなる。
ｘｘ = 1.00 / 2.54 * (Bh2 + Bv2)1/2
ｙｙ = Bs
【００３５】
ＴＶ画面に表示する文字・絵・記号の解像度Ph、Pvは、以下のステップで求められる。
（ステップ１）
ＣＰＵ２は、接続されたＴＶのＥＤＩＤから読み込んだ「最大水平画像サイズ（The Maximum Horizontal Image Size）」と「最大垂直画像サイズ（The Maximum Vertical Image Size）」に最も近いBh、Bv、Bsの組み合わせを選択する。具体的には、ＣＰＵ２は、Mh、Mvに対して、以下の計算式によって求められるDrの値が最も小さくなるBh、Bvを求める。隣り合う２組のBh、BrでDrの値が等しくなる場合、ＣＰＵ２は、インチ数が小さい方の基準データ（リファレンス）を採用（選択）する。
Dr = abs(Mh − Bh) + abs(Mv − Bv)
なお、「abs」は、絶対値を示す。
【００３６】
（ステップ２）
ＣＰＵ２は、基準となるＴＶにおいて、出力される映像の垂直方向の解像度Rvから、基準ＴＶにおいて出力されると想定される文字の解像度Bp（基準となるＯＳＤの構成物の解像度）を算出する。
Bv / Rv = Bs / Bp より  Bp = Bs * Rv / Bv
【００３７】
（ステップ３）
ＣＰＵ２は、接続されたＴＶの画面に表示すべき文字の解像度Ph、Pvを求める。ＣＰＵ２は、出力される映像のアスペクト比が接続されたＴＶの画面と異なる場合、水平方向の文字の解像度を補正する。ＴＶのアスペクト比よりも横長の映像が入力された場合（Ra > Ma）、ＯＳＤの構成物の水平方向が圧縮されて表示されてしまうため、長さとして、水平方向に短くなる割合だけ補正する。この補正は、Ra / Maを乗じることによって行われる。
＜ケース１＞
Eh * Ev = 0でない場合
Ph = Bp * (Bh / Mh) * (Ra / Ma) = (Bs * Rv / Bv) * (Bh / Mh) * (Rh / Rv) * (Mv / Mh) = (100 * Bs * Bh * Rh * Ev) / (Bv * Eh2)
Pv = BP * (Bv / Mv) = (Bs * Rv / Bv) * (Bv / Mv) = (100 * Bs * Rv) / Ev
【００３８】
ただし、上記で求められたPh、Pvが出力解像度に対応したデフォルトの表示解像度（ＣＰＵ２がデフォルトで保持）よりも小さい場合、ＣＰＵ２は、デフォルトの解像度で表示する。これは、デフォルトよりも小さいサイズで表示されると、文字等が小さいため、意味がないためである。すなわち、
(100 * Bs * Bh * Rh * Ev) / (Bv * Eh2) < Default H(Rh, Rv) 又は
(100 * Bs * Rv) / Ev < Default V(Rh, Rv)の場合
Ph = Default H(Rh, Rv)  ＣＰＵ２がデフォルトで保持している水平方向の解像度（ピクセル）
Pv = Default V(Rh, RV)  ＣＰＵ２がデフォルトで保持している垂直方向の解像度（ピクセル）
また、出力解像度Rh、Rvに対応する、画面上に表示可能な文字の解像度の上限をPmaxとするとき、ＣＰＵ２は、Ph > Pmax 又は Pv > Pmax の場合、Ph、Pvをともに、Pmaxに再設定する。
【００３９】
＜ケース２＞
Eh * Ev = 0である場合
Ph = Default H(Rh, Rv)  ＣＰＵ２がデフォルトで保持している水平方向の解像度（ピクセル）
Pv = Default V(Rh, Rv)  ＣＰＵ２がデフォルトで保持している垂直方向の解像度（ピクセル）
「ケース２」は、ＴＶのＥＤＩＤからサイズ情報を取得できなかった場合、又は、比較すべきリファレンス情報が存在しなかった場合（例えば、接続されたＴＶの画面サイズが非常に大きい場合）を示す。なお、上記の「ステップ１」でDrが求められるとき、最も大きなBh、Bvの組の場合に、Drが最小となる。ここで、Drの最小値がある一定の閾値を超える場合、基準データとの乖離が大きくなるため、ＣＰＵ２は、「基準データなし」と判定してもよい。
【００４０】
ここまでにおいては、ＯＳＤの構成物のピクセル数が求められている。以下、ＯＳＤの表現形式（ラスタ形式／ベクタ形式）に応じた表示パラメータの算出について説明する。
【００４１】
（ラスタ形式（ビットマップ形式））
図４に示すように、ドット角dの文字を拡大率eで表示するとき、ＣＰＵ２は、d * e ≧ Ph かつ d * e ≧ Pv を満たす最小のd 又は e （>1）を求める。すなわち、以下に従って、d 及び eを決定する。d ≧ Ph かつ d ≧ Pvを満たすdが存在し、このうち最も小さいものをdnとすると、d = dn、e = 1を設定する。d ≧ Ph かつ d ≧ Pvを満たすdが存在しない場合、存在する最も大きなd（= dm）に対して、dm * e ≧ Ph かつ dm * e ≧ Pvを満たす最小のe （=em > 1）を求める。すなわち、d = dm、e = emを設定する。
【００４２】
（ベクタ形式）
図５に示すように、文字サイズSにおける水平／垂直方向の解像度をPsとするとき、ＣＰＵ２は、Ps ≧ Pvを満たす最小のSを求める。
【００４３】
（第２実施形態）
図６は、本発明の第２実施形態に係るＡＶレシーバー１１の構成を示すブロック図である。図６に示すように、ＡＶレシーバー１１（映像出力装置）は、ＣＰＵ１２、操作部１３、信号受信部１４、映像処理部１５、ＯＳＤ処理部１６、信号送信部１７を備える。信号受信部１４を除き、ＣＰＵ１２、操作部１３、映像処理部１５、ＯＳＤ処理部１６、信号送信部１７は、ＯＳＤを出力するに関し、第１実施形態に係るＣＰＵ２、操作部３、映像処理部５、ＯＳＤ処理部６、信号送信部７と同様であるため、説明を省略する。
【００４４】
ＡＶレシーバー１１には、例えば、ＢＤプレーヤーが接続されている。信号受信部１４は、ＢＤプレーヤーから出力されるデジタル映像信号を受信する。
【００４５】
第１実施形態では、図７（ａ）に示すように、ＢＤプレーヤー１とＴＶ１０１とが直接接続されている。ＢＤプレーヤー１で再生されるコンテンツの映像信号に、ＯＳＤが重畳されて、ＴＶ１０１に出力される。第２実施形態では、図７（ｂ）に示すように、ＢＤプレーヤー１とＴＶ１０１との間に、ＡＶレシーバー１１が接続されている。ＡＶレシーバー１１は、ＢＤプレーヤー１から出力される映像信号をリピートするとき、映像信号にＯＳＤを重畳して、ＴＶ１０１に出力する。
【００４６】
第１及び第２実施形態において、５０型のＴＶで、ユーザーが４Ｋ映像を視聴する場合を例にし、ＯＳＤの文字サイズをお止める。ＴＶのＥＤＩＤに記述されている、最大水平画像サイズ（The Maximum Horizontal Image Size）、最大垂直画像サイズ（The Maximum Vertical Image Size）は、それぞれ、例えば、0x6E、0x3Eである。これより、Eh = 100、Ev = 62、Mh = 1.10、Mv = 0.62である。
【００４７】
（ステップ１）
Dr = abs(1.10 − Bh) + abs(0.62 − Bv)
上記Drの値が最も小さくなるのは、Bh = 1.105、Bv = 0.622の場合となるので、このときのBsは、図２に示す参照テーブルより、Bs = 0.018となる。
【００４８】
（ステップ２・３）
Ph = (100 * Bs * Bh * Rh * Ev) / (Bv * Eh2)
= (100 * 0.018 * 1.105 * 3840 * 62) / (0.622 * 1102)
≒ 62.919
Pv = (100 * Bs * Rv) / Ev = (100 * 0.018 * 2160) / 62
≒ 62.710
ラスタ形式で、１６ドット角の文字を表示させる場合、d = 16となるから、16 * e ≧ 62.919 （> 62.710）を満たす最小のeは、 e = 3.932となる。
【００４９】
以上説明したように、本実施形態では、ＣＰＵ２、１２は、接続されているＴＶの最大水平画像サイズと、最大垂直画像サイズと、ＴＶに出力する映像の解像度及びアスペクト比と、に基づいて、出力するＯＳＤの構成物（文字、絵、記号）の解像度を決定する。これにより、ユーザーが、ＯＳＤの構成物（文字、絵、記号）を見づらく感じることが防止される。
【００５０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５１】
上述の実施形態においては、映像出力装置として、ＢＤプレーヤー（ソース機器）、ＡＶレシーバー（リピーター機器）を例示した。これに限らず、他の映像処理装置であってもよい。
【産業上の利用可能性】
【００５２】
本発明は、ＯＳＤ（On-screen display：オンスクリーン）を出力する映像出力装置に好適に採用され得る。
【符号の説明】
【００５３】
１  ＢＤプレーヤー（映像出力装置）
２  ＣＰＵ（制御部）
３  操作部
４  再生部
５  映像処理部
６  ＯＳＤ処理部
７  信号送信部
１１  ＡＶレシーバー（映像出力装置）
１２  ＣＰＵ（制御部）
１３  操作部
１４  信号受信部
１５  映像処理部
１６  ＯＳＤ処理部
１７  信号送信部
【図１】
2020201409.tif 000003
【図２】
2020201409.tif 000004
【図３】
2020201409.tif 000005
【図４】
2020201409.tif 000006
【図５】
2020201409.tif 000007
【図６】
2020201409.tif 000008
【図７】
2020201409.tif 000009